【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
被検査物の第１の断層画像と第２の断層画像とを取得する取得手段と、
複数の撮影モードの中から１つの撮影モードを設定するモード設定手段と、
前記モード設定手段により設定された撮影モードに基づいて、前記第１の断層画像内から基準領域を設定する第１の領域設定手段と、
前記基準領域と前記第２の断層画像との類似度または相違度を示す情報に基づいて、前記第１の断層画像と前記第２の断層画像との位置合わせを行う位置合わせ手段と、
を有することを特徴とする画像処理装置。
【請求項２】
前記第１の断層画像に基づいて前記被検査物の層構造を認識する層認識手段を更に有し、
前記第１の領域設定手段は、前記モード設定手段により設定された撮影モードと、前記層認識手段により認識された前記被検査物の層構造とに応じて、前記基準領域を設定することを特徴とする請求項１に記載の画像処理装置。
【請求項３】
前記被検査物が眼であり、
前記モード設定手段により設定された撮影モードが黄斑疾患用の撮影モードである場合、
前記第１の領域設定手段は、前記層認識手段により認識された前記眼の層構造における特定の層から第１の距離だけ硝子体側の位置である第１の位置と、前記第１の位置から前記第１の距離よりも長い第２の距離だけ脈絡膜側の位置である第２の位置との間の領域を、前記基準領域として設定することを特徴とする請求項２に記載の画像処理装置。
【請求項４】
前記被検査物が眼であり、
前記モード設定手段により設定された撮影モードが緑内障用の撮影モードである場合、
前記第１の領域設定手段は、前記層認識手段により認識された前記眼の層構造における特定の層から第１の距離だけ硝子体側の位置である第１の位置と、前記第１の位置から第２の距離だけ硝子体側の位置である第２の位置との間の領域を、前記基準領域として設定することを特徴とする請求項２に記載の画像処理装置。
【請求項５】
前記被検査物が眼であり、
前記モード設定手段により設定された撮影モードが緑内障用の撮影モードである場合、
前記第１の領域設定手段は、前記層認識手段により認識された前記眼の層構造における少なくとも１つの特定の層の領域を、前記基準領域として設定することを特徴とする請求項２に記載の画像処理装置。
【請求項６】
前記第１の領域設定手段は、前記モード設定手段により設定された撮影モードと、Ｂスキャン画像である前記第１の断層画像における各Ａスキャン信号の輝度情報とに応じて、前記基準領域を設定することを特徴とする請求項１に記載の画像処理装置。
【請求項７】
前記被検査物が眼であり、
前記モード設定手段により設定された撮影モードが黄斑疾患用の撮影モードである場合、
前記第１の領域設定手段は、前記第１の断層画像における前記各Ａスキャン信号中の所定の輝度条件に該当する点群から第１の距離だけ硝子体側の位置である第１の位置と、前記第１の位置から前記第１の距離よりも長い第２の距離だけ脈絡膜側の位置である第２の位置との間の領域を、前記基準領域として設定することを特徴とする請求項６に記載の画像処理装置。
【請求項８】
前記被検査物が眼であり、
前記モード設定手段により設定された撮影モードが緑内障用の撮影モードである場合、
前記第１の領域設定手段は、前記第１の断層画像における前記各Ａスキャン信号中の所定の輝度条件に該当する点群から第１の距離だけ硝子体側の位置である第１の位置と、前記第１の位置から第２の距離だけ硝子体側の位置である第２の位置との間の領域を、前記基準領域として設定することを特徴とする請求項６に記載の画像処理装置。
【請求項９】
測定光源から発せられた光を、被検査物に対して照射される測定光と、参照光とに分割する分割手段と、
前記測定光の前記被検査物からの反射光と前記参照光とを合成して干渉光を生成する合成手段と、
前記干渉光に基づき前記被検査物の第１の断層画像と第２の断層画像とを取得する取得手段と、
前記測定光の光路長と前記参照光の光路長とが等しくなる位置であるゲート位置を検出する検出手段と、
前記検出手段により検出されたゲート位置に基づいて、前記第１の断層画像内から基準領域を設定する第１の領域設定手段と、
前記基準領域と前記第２の断層画像との類似度または相違度を示す情報に基づいて、前記第１の断層画像と前記第２の断層画像との位置合わせを行う位置合わせ手段と、
を有することを特徴とする画像処理装置。
【請求項１０】
前記第１の断層画像に基づいて前記被検査物の層構造を認識する層認識手段を更に有し、
前記第１の領域設定手段は、前記検出手段により検出されたゲート位置と、前記層認識手段により認識された前記被検査物の層構造とに応じて、前記基準領域を設定することを特徴とする請求項９に記載の画像処理装置。
【請求項１１】
前記被検査物が眼であり、
前記ゲート位置が、前記眼の硝子体よりも脈絡膜に近い脈絡膜側の位置であるとき、
前記第１の領域設定手段は、前記層認識手段により認識された前記眼の層構造における特定の層から第１の距離だけ硝子体側の位置である第１の位置と、前記第１の位置から前記第１の距離よりも長い第２の距離だけ脈絡膜側の位置である第２の位置との間の領域を、前記基準領域として設定することを特徴とする請求項１０に記載の画像処理装置。
【請求項１２】
前記被検査物が眼であり、
前記ゲート位置が、前記眼の脈絡膜よりも硝子体に近い硝子体側の位置であるとき、
前記第１の領域設定手段は、前記層認識手段により認識された前記眼の層構造における特定の層から第１の距離だけ硝子体側の位置である第１の位置と、前記第１の位置から第２の距離だけ硝子体側の位置である第２の位置との間の領域を、前記基準領域として設定することを特徴とする請求項１０に記載の画像処理装置。
【請求項１３】
前記被検査物が眼であり、
前記ゲート位置が、前記眼の脈絡膜よりも硝子体に近い硝子体側の位置であるとき、
前記第１の領域設定手段は、前記層認識手段により認識された前記眼の層構造における少なくとも１つの特定の層の領域を、前記基準領域として設定することを特徴とする請求項１０に記載の画像処理装置。
【請求項１４】
前記第１の領域設定手段は、前記検出手段により検出されたゲート位置と、Ｂスキャン画像である前記第１の断層画像における各Ａスキャン信号の輝度情報とに応じて、前記基準領域を設定することを特徴とする請求項９に記載の画像処理装置。
【請求項１５】
前記被検査物が眼であり、
前記ゲート位置が、前記眼の硝子体よりも脈絡膜に近い脈絡膜側の位置であるとき、
前記第１の領域設定手段は、前記第１の断層画像における前記各Ａスキャン信号中の所定の輝度条件に該当する点群から第１の距離だけ硝子体側の位置である第１の位置と、前記第１の位置から前記第１の距離よりも長い第２の距離だけ脈絡膜側の位置である第２の位置との間の領域を、前記基準領域として設定することを特徴とする請求項１４に記載の画像処理装置。
【請求項１６】
前記被検査物が眼であり、
前記ゲート位置が、前記眼の脈絡膜よりも硝子体に近い硝子体側の位置であるとき、
前記第１の領域設定手段は、前記第１の断層画像における前記各Ａスキャン信号中の所定の輝度条件に該当する点群から第１の距離だけ硝子体側の位置である第１の位置と、前記第１の位置から第２の距離だけ硝子体側の位置である第２の位置との間の領域を、前記基準領域として設定することを特徴とする請求項１４に記載の画像処理装置。
【請求項１７】
被検査物の第１の断層画像と第２の断層画像とを取得する取得手段と、
検者が前記被検査物の層構造の中から選択した少なくとも１つの層を入力する層入力手段と、
前記第１の断層画像に基づいて前記被検査物の層構造を認識する層認識手段と、
前記層入力手段により入力された層と、前記層認識手段により認識された前記被検査物の層構造とに基づいて、前記第１の断層画像内から基準領域を設定する第１の領域設定手段と、
前記基準領域と前記第２の断層画像との類似度または相違度を示す情報に基づいて、前記第１の断層画像と前記第２の断層画像との位置合わせを行う位置合わせ手段と、
を有することを特徴とする画像処理装置。
【請求項１８】
前記第２の断層画像内の領域であって前記基準領域との前記類似度または前記相違度の比較において所定の条件を満たす該当領域を設定する第２の領域設定手段を更に有し、
前記位置合わせ手段は、前記基準領域と前記該当領域との位置が合うように、前記第１の断層画像と前記第２の断層画像の位置合わせを行うことを特徴とする請求項１乃至１７のいずれか１項に記載の画像処理装置。
【請求項１９】
前記位置合わせ手段により位置合わせが行われた前記第１の断層画像と前記第２の断層画像とを加算平均処理して、加算平均画像を生成する生成手段と、
前記加算平均画像を表示手段に表示させる表示制御手段と、
を更に有することを特徴とする請求項１乃至１８のいずれか１項に記載の画像処理装置。
【請求項２０】
前記被検査物が眼であることを特徴とする請求項１乃至１９のいずれか１項に記載の画像処理装置。
【請求項２１】
複数の撮影モードの中から１つの撮影モードを設定するモード設定ステップと、
被検査物の第１の断層画像と第２の断層画像とを取得する取得ステップと、
前記モード設定ステップにより設定された撮影モードに基づいて、前記第１の断層画像内から基準領域を設定する第１の領域設定ステップと、
前記基準領域と前記第２の断層画像との類似度または相違度を示す情報に基づいて、前記第１の断層画像と前記第２の断層画像との位置合わせを行う位置合わせステップと、
を有することを特徴とする画像処理方法。
【請求項２２】
測定光源から発せられた光を、被検査物に対して照射される測定光と、参照光とに分割する分割ステップと、
前記測定光の前記被検査物からの反射光と前記参照光とを合成して干渉光を生成する合成ステップと、
前記干渉光に基づき前記被検査物の第１の断層画像と第２の断層画像とを取得する取得ステップと、
前記測定光の光路長と前記参照光の光路長とが等しくなる位置であるゲート位置を検出する検出ステップと、
前記検出ステップにより検出されたゲート位置に基づいて、前記第１の断層画像内から基準領域を設定する第１の領域設定ステップと、
前記基準領域と前記第２の断層画像との類似度または相違度を示す情報に基づいて、前記第１の断層画像と前記第２の断層画像との位置合わせを行う位置合わせステップと、
を有することを特徴とする画像処理方法。
【請求項２３】
被検査物の第１の断層画像と第２の断層画像とを取得する取得ステップと、
検者が前記被検査物の層構造の中から選択した少なくとも１つの層を入力する層入力ステップと、
前記第１の断層画像に基づいて前記被検査物の層構造を認識する層認識ステップと、
前記層入力ステップにより入力された層と、前記層認識ステップにより認識された前記被検査物の層構造とに基づいて、前記第１の断層画像内から基準領域を設定する第１の領域設定ステップと、
前記基準領域と前記第２の断層画像との類似度または相違度を示す情報に基づいて、前記第１の断層画像と前記第２の断層画像との位置合わせを行う位置合わせステップと、
を有することを特徴とする画像処理方法。
【請求項２４】
請求項２１乃至２３のいずれか１項に記載の画像処理方法の各ステップをコンピュータに実行させるためのプログラム。
【手続補正２】
【補正対象書類名】明細書
【補正対象項目名】００１４
【補正方法】変更
【補正の内容】
【００１４】
本発明の画像処理装置は、被検査物の第１の断層画像と第２の断層画像とを取得する取得手段と、複数の撮影モードの中から１つの撮影モードを設定するモード設定手段と、前記モード設定手段により設定された撮影モードに基づいて、前記第１の断層画像内から基準領域を設定する第１の領域設定手段と、前記基準領域と前記第２の断層画像との類似度または相違度を示す情報に基づいて、前記第１の断層画像と前記第２の断層画像との位置合わせを行う位置合わせ手段と、を有する。
本発明の画像処理装置における他の態様は、測定光源から発せられた光を、被検査物に対して照射される測定光と、参照光とに分割する分割手段と、前記測定光の前記被検査物からの反射光と前記参照光とを合成して干渉光を生成する合成手段と、前記干渉光に基づき前記被検査物の第１の断層画像と第２の断層画像とを取得する取得手段と、前記測定光の光路長と前記参照光の光路長とが等しくなる位置であるゲート位置を検出する検出手段と、前記検出手段により検出されたゲート位置に基づいて、前記第１の断層画像内から基準領域を設定する第１の領域設定手段と、前記基準領域と前記第２の断層画像との類似度または相違度を示す情報に基づいて、前記第１の断層画像と前記第２の断層画像との位置合わせを行う位置合わせ手段と、を有する。
また、本発明の画像処理装置におけるその他の態様は、被検査物の第１の断層画像と第２の断層画像とを取得する取得手段と、検者が前記被検査物の層構造の中から選択した少なくとも１つの層を入力する層入力手段と、前記第１の断層画像に基づいて前記被検査物の層構造を認識する層認識手段と、前記層入力手段により入力された層と、前記層認識手段により認識された前記被検査物の層構造とに基づいて、前記第１の断層画像内から基準領域を設定する第１の領域設定手段と、前記基準領域と前記第２の断層画像との類似度または相違度を示す情報に基づいて、前記第１の断層画像と前記第２の断層画像との位置合わせを行う位置合わせ手段と、を有する。
また、本発明は、上述した画像処理装置による画像処理方法、及び、当該画像処理方法をコンピュータに実行させるためのプログラムを含む。